(57)【要約】      （修正有）【課題】海水に対して竹林よりも優れた耐腐食性を有し、漁場用生け簀用に好適な浮き構造体用幹材を提供する。【解決手段】熱可塑性プラスチックの廃棄物を溶融成形した棒状体からなり、その断面は、一辺が５〜８ｃｍの多角面体をなし、長さが８〜１２ｍである。【選択図】図１
0003169475.tif 000002
【実用新案登録請求の範囲】
【請求項１】
複数個の円筒形浮子の懸垂するため格子状に組み込むための熱可塑性プラスチックの廃棄物を溶融成形した棒状体からなる幹材であって、
前記棒状体の断面を一辺を５〜８センチの多角面体をなし、長さを８〜１２メートルとした浮き構造体用幹材。
【請求項２】
棒状体の曲げ加重破断値が１０００ｍｍスパンの下で２０００Ｎ以上である請求項１に記載の浮き構造体用幹材。
【請求項３】
前記円筒形浮子は、その上面に浮力調整のための海水導入口を揺する浮子であって、その浮子の上下に設けられた取り付け板を介して浮子を懸垂してなる浮き構造体用幹材。
【考案の詳細な説明】
【技術分野】
【０００１】
この考案は、浮子の間を幹材で連結した牡蠣の養殖、各種魚類の生け簀等、漁場用生け簀用、あるいは、船舶用の浮桟橋としても利用可能な浮き構造体、とくに、構造体において浮子を懸垂する浮き構造体用幹材に関する。
【背景技術】
【０００２】
従来、このような漁場用生け簀の構造体は、従来、直径が１０センチ程度、長さが１０メートル程度の竹材からなる幹材を針金によって格子状に組み、この組み込まれた格子を浮子に連結した構造のものが使用されてきた。
【０００３】
ところが、この竹材を使用しての生け簀の構造体の組立てには、その大きさと長さが定まったものが要求され、その要求に合った竹材に限りがあり、また、竹材の海水による幹材自体が腐食によって短寿命であり、頻繁に取り替える必要があった。
【０００４】
また、養殖用生け簀のための浮子としては、下記の特許文献に開示されているように、その製作の容易性と取扱いの便利さから、プラスチック製の釣鐘形のものも多く考案されている。しかしながら、単純な棒材を幹材として使用する場合には取り扱いが不便であるという問題がある。
【先行技術文献】
【特許文献】
【０００５】
【特許文献１】実公平２−３６３８４号公報
【特許文献２】実開平３−３１８４９号公報
【特許文献３】実開平７−１７５８号公報
【考案の概要】
【考案が解決しようとする課題】
【０００６】
本考案の課題は、従来使用されてきた竹材に代わり、竹材よりも海水に対して優れた耐腐食性を有し、海面の揺れに対しても撓りと抵抗力があり、牡蠣の養殖、漁場用生け簀用、船舶用の浮桟橋等として好適に利用できる軽量の浮き構造体用の幹材の提供にある。
【課題を解決するための手段】
【０００７】
本考案は、ポリプロピレンあるいはポリエチレン等の熱可塑性のプラスチック廃材の有効利用面として、プラスチック材の海水にする耐久性と軽さ、さらに強度の面から、プラスチック廃材を魚介類の生け簀用の幹材としての適用を思い付いたことによる。
【０００８】
また、本考案に係る幹材は、浮き構造体を連結し、浮き構造体のフレーム材としても機能し、その上で作業する作業員の動きやすさをもたらす形状を考えると上面が比較的広く、成型条件も簡単さを考慮すると断面が正４角形のものが望ましい。
【０００９】
その従来から使用されてきた竹材に代わるプラスチック材とくに、その廃材から得たプラスチック材の幹材としての利用面から留意すべき特性は、幹材としての機械的特性とくに、曲げ強度の均一性である。実験の結果、廃材から得たプラスチック材の幹材は、従来の竹製の幹材とほぼ同じ大きさのもので、魚介類の生け簀用の幹材として充分な強度と耐久性を有することが明らかになった。
【００１０】
また、一方において、魚介類の生け簀用の幹材は、生け簀に必須の浮子に連結されている必要があり、そのため、強度そのものが幹材そのものとして充分であっても、生け簀に及ぼす波浪の影響が大きく、その浮子への波浪の影響が幹材に及ぼされないようにする必要がある。
【００１１】
本考案においては、廃材から得たプラスチック材の幹材と浮子と連結に際して、幹材に、浮子に直接、連結する部材を設けて、波浪に対する影響を最小限に止めた。
【００１２】
本考案に係る幹材を連結するための浮子としては、上記特許文献にも記載されている従来から知られた浮子を使用することもできるが、浮き構造体、とくに、魚介類の簀子としては、作業手順によっては、簀子全体の浮力を調整するようにしたものを使用することもできる。
【考案の効果】
【００１３】
本考案の浮構造体のための幹材として、プラスチック材、とくに、プラスチック廃材を溶融押し出しだけによって従来の竹材に近似した幹材とすることができる。そして、この幹材は、均一な撓み性に富んだ特性にすることができる。
【００１４】
また、使用済みのプラスチック廃材からなる幹材は、素材として、あるいは、そのまま、幹材として再利用することによって、プラスチック廃材の再利用のリサイクル系を形成することができる。
【００１５】
さらには、本考案のプラスチック製の幹材では任意の断面形状のものとすることができ、浮構造体上の作業として安定性を重視した断面が多角形のものを使用することによって浮構造体上の作業を効率良く行うことができる。
【図面の簡単な説明】
【００１６】
【図１】本考案の浮き構造体用の幹材を示す。
【図２】本考案の幹材を使用した生け簀の組立て構造の例を示す。
【図３】本考案の幹材の浮子との連結構造を示す。
【考案を実施するための形態】
【００１７】
図１に示す本考案の幹材１を、牡蠣の養殖生け簀に使用した例について説明する。
【実施例】
【００１８】
市場において再利用のために集められたポリプロピレンとポリエチレンとをほぼ１：１で混合した通常のペレット状のプラスチック廃材を、通常の溶融押し出し機を用いて、ほぼ１８０℃の温度で押し出し成形し、断面の一辺が６０ｍｍの断面が正４角形で、長さが１２０００ｍｍ程度、重さ３ｋｇ／ｍの棒材に成形し、図１に示す浮き構造体用の幹材１とした。
【００１９】
この幹材１の破断試験を、スパンの間隔３８０ｍｍと１０００ｍｍとにおいて、曲げ荷重破断試験を、それぞれ、１２個のプラスチック廃材の幹材試料について行った。スパンの間隔３８０ｍｍにおいて、破断荷重は、６８８０〜７５１３Ｎ（７０２〜７６８ｋｇ）であり、また、スパンの間隔１０００ｍｍにおいては、破断荷重は、２４３０〜３３９０Ｎ（２４８〜３４６ｋｇ）に収まるものであった。
【００２０】
この図１に示すプラスッチック幹材１を用いて、図２に示す牡蠣の養殖生け簀１０を組み立て、その幹材１が牡蠣の養殖生け簀１０用として、長期間充分に牡蠣の養殖生け簀の幹材として支障なく機能するものであるかを調べた。
【００２１】
その格子状幹材の組立ては、幹材１を５０ｃｍの間隔で平行に配列した複数の下方列１１と、この下方列に直交して平行に同じ５０ｃｍの間隔で配列した上方列１２を配列し、取り付け用針金１３で下方列１１と上方列１２を固定して、縦横同一間隔の格子状幹材とした。  
【００２２】
さらに、図２とともに図３に示すように、この浮子２は、グラスファイバー、硬質プラスチック材等で作られた本体が円筒状をなし、その上面には、浮力調整のための海水導入口２３が設けられている。このように、浮子２に海水導入口２３を設け、海水を導入することによって、養殖用生け簀１０全体の浮力を低下させて、波浪が激しい場合には、養殖用生け簀１０全体を波面下に沈下させて波面の影響を少なくして、破損を防ぐ効果がある。
【００２３】
下方の幹材列１１を挟んで浮子懸垂用板２１を取り付け、この浮子懸垂用板２１を介して浮子懸垂用針金２２によってこの浮子２を支持懸垂した。この懸垂構造によって、従来の竹材よりも軽いプラスチック製の幹材を使用しても、浮子２の波による揺動による荷重の付加と浮子２による偏り荷重の付加を軽減でき、幹材の耐用性を増すことができる。
【００２４】
牡蠣の養殖生け簀１０において、格子状に組み込まれた幹材１の下方の平行な幹材列１１に４００本の網に稚牡蠣を取り付けて吊り下げ、稚牡蠣の成長の時期までの６ヶ月間、内海の牡蠣の養殖場において、放置して、耐波浪試験を行った。
【００２５】
その結果、浮き構造体１０は、生け簀を設置したときの浮子２のほぼ２／３が海面上に浮き出た状態から、牡蠣の成長期には、牡蠣の成長に伴って網は重くなり、収穫期には、浮子のほぼ１／４だけが海面上に浮き出た状態となり、相当の揺れとなったが、プラスチック廃材からなる幹材は、全く破損は生じなかった。
【００２６】
本考案のプラスチック廃材によって作られ、上記の機械的特性を棒状体は、生け簀用の幹材として充分に使用でき、とくに、浮子の支持も無理なく可能になる。
【００２７】
また、生け簀用の幹材としては、その曲げ強度その他の劣化も生じないため、使用済みの生け簀用の幹材の再使用も可能になることから、プラスチック廃材の完全なリサイクルの一つの途が確立した。
【産業上の利用可能性】
【００２８】
本考案の浮子構造体としてプラスチック廃材からなる幹材を格子状にして、生牡蠣の養殖用生け簀とする実施例を挙げたが、プラスチック廃材から作成された幹材の機械的特性を確認することによって、各種回遊魚の生け簀用、小船舶の浮き桟橋としての利用の途もある。
【符号の説明】
【００２９】
１０  牡蠣養殖用生け簀
１  幹材
１１  格子状の下方列の幹材
１２  格子状の上方列の幹材
１３  取り付け用針金
２  浮子
２１  浮子懸垂用補助板
２２  浮子懸垂用針金
２３  海水注入口
【図１】
0003169475.tif 000003
【図２】
0003169475.tif 000004
【図３】
0003169475.tif 000005
【手続補正書】
【提出日】平成23年6月1日(2011.6.1)
【手続補正１】
【補正対象書類名】実用新案登録請求の範囲
【補正対象項目名】全文
【補正方法】変更
【補正の内容】
【実用新案登録請求の範囲】
【請求項１】
平行に配列した複数の幹材の下方列と、この下方列に直交して配列した幹材の上方列を固定して縦横同一間隔の格子状に形成し、この格子状の下方列の幹材の上面に浮子懸垂用板を取り付け、この浮子懸垂用板を介して針金によって浮子を支持懸垂した浮き構造体に使用する幹材であって、
この幹材は、熱可塑性プラスチックの廃棄物を溶融成形した棒状体からなり、この棒状体の断面は、一辺が５〜８センチの多角面体をなし、長さが８〜１２メートルである浮き構造体用幹材。
【請求項２】
前記棒状体の曲げ加重破断値が１０００ｍｍスパンの下で２０００Ｎ以上である請求項１に記載の浮き構造体用幹材。
【請求項３】
前記円筒形浮子は、その上面に浮力調整のための海水導入口を有する浮子であって、その浮子の上下に設けられた取り付け板を介して浮子を懸垂してなる請求項１記載の浮き構造体用幹材。